(57)【特許請求の範囲】
【請求項１】
垂直方向に立設された支柱（１１）に対して水平方向に足場材（２０）を架設する仮設足場構造（Ｋ）であって、前記支柱の水平方向に取付けられた透孔部（３５）を有するフランジ部（３０）と、前記足場材の端部に形成された接続部（４０）と、前記フランジ部と接続部と取り外し可能に連結するくさび部材（５０）からなり、
前記接続部（４０）は、前記くさび部材を上下動かつ支柱方向に進退動可能に挿通するくさび材挿通部（４２）を有し、かつ支柱側の正面部（４３）には前記フランジ部の透孔部を差し込むことができるフランジ差込開口部（４４）を有するとともに、足場材側には引掛部（４６）が形成されており、
前記くさび部材（５０）は、前記フランジ部の透孔部前周部（３６）が挿入できる下部開口（５１）を有し、前記下部開口の上辺部（５２）には操作用つまみ部（５９）が形成されるとともに、前記下部開口の支柱側には前記フランジ部の透孔部への差し込み部（５４）を有する短脚部（５３）、足場材側には前記短脚部下端より下側位置に下向き開口部（６１）を有する係着突部（５６）が形成され前記引掛部に前記下向き開口部を介して前記係着突部が係着可能な長脚部（５５）を備えていることを特徴とする仮設足場の連結構造。
【請求項２】
前記フランジ部が支柱の周囲に９０度間隔で４ケ所の透孔部を有する請求項１に記載の仮設足場の連結構造。
【請求項３】
前記透孔部がフランジ部の切欠と支柱外周によって形成されている請求項１又は２に記載の仮設足場の連結構造。
【請求項４】
前記くさび部材の長脚部にくさび材挿通部から上方への抜けを防止する下部抜止突部を有する請求項１ないし３のいずれか１項に記載の仮設足場の連結構造。
【請求項５】
前記くさび部材の操作用つまみ部にくさび材挿通部から下方への抜けを防止する上部抜止突部を有する請求項１ないし４のいずれか１項に記載の仮設足場の連結構造。
【請求項６】
前記接続部が一枚の板材を曲げ加工して形成されている請求項１ないし５のいずれか１項に記載の仮設足場の連結構造。
【発明の詳細な説明】
【技術分野】
【０００１】
この発明は、仮設足場の連結構造に関する。
【背景技術】
【０００２】
一般に、建築物等の工事等を行う際には、その外周に仮設足場が設置されるものであって、複数本の支柱を所定間隔で配置し、前記各支柱間に足場板を架設させて一の階層の足場を形成し、上方に支柱を順次継ぎ足して同様に足場板を架設させることにより複数階層の足場を形成してなる。このような仮設足場にあっては、上方への足場の継ぎ足し作業をする際の安全対策として、足場板を架設させる前に斜行材若しくは水平材若しくは垂直材等の足場材を手すりとして先行して配置するように構成される。
【０００３】
上記の如く、足場材を配置する場合において、前記足場材を支柱のホルダーに取り外し可能に連結するための連結部材が使用された筋交いあるいは先行筋交い手摺り等が知られており、このような支柱と足場材の連結構造として、水平材の端部に支柱に固定されたフランジの孔に上部から抜き差しが自在に係止する係止フックによる結合構造が提案されている（例えば、特許文献１参照）。すなわち、前記係止フックはフランジの孔に差し込むための差し込み爪と、フランジ周縁に対して嵌合する切り欠き部を有しており、水平材を支柱へ結合させる場合は、水平材を傾斜状に保持して差し込み爪をフランジの孔に差し込んだ後、水平材を水平に戻して係止フックの切り欠き部をフランジの外周部に嵌めて結合させるものである。
【０００４】
しかしながら、このような連結構造は結合あるいは取り外し作業において、足場材自体の角度を調節して差し込み爪をフランジの孔に抜き差ししなければならず、非常に煩雑である。加えて、足場材にはあらゆる方向から負荷がかかるため、がたつきが生じやすい嫌いがある。
【特許文献１】特開２００２−３１７５５２号公報
【発明の開示】
【発明が解決しようとする課題】
【０００５】
この発明は前記の点に鑑みなされたものであり、支柱に対して水平方向に足場材を極めて容易かつ確実に連結することができる仮設足場の連結構造を提供するものである。
【課題を解決するための手段】
【０００６】
すなわち、請求項１の発明は、垂直方向に立設された支柱（１１）に対して水平方向に足場材（２０）を架設する仮設足場構造（Ｋ）であって、前記支柱の水平方向に取付けられた透孔部（３５）を有するフランジ部（３０）と、前記足場材の端部に形成された接続部（４０）と、前記フランジ部と接続部と取り外し可能に連結するくさび部材（５０）からなり、前記接続部（４０）は、前記くさび部材を上下動かつ支柱方向に進退動可能に挿通するくさび材挿通部（４２）を有し、かつ支柱側の正面部（４３）には前記フランジ部の透孔部を差し込むことができるフランジ差込開口部（４４）を有するとともに、足場材側には引掛部（４６）が形成されており、前記くさび部材（５０）は、前記フランジ部の透孔部前周部（３６）が挿入できる下部開口（５１）を有し、前記下部開口の上辺部（５２）には操作用つまみ部（５９）が形成されるとともに、前記下部開口の支柱側には前記フランジ部の透孔部への差し込み部（５４）を有する短脚部（５３）、足場材側には前記短脚部下端より下側位置に下向き開口部（６１）を有する係着突部（５６）が形成され前記引掛部に前記下向き開口部を介して前記係着突部が係着可能な長脚部（５５）を備えていることを特徴とする仮設足場の連結構造に係る。
【０００７】
請求項２の発明は、前記フランジ部が支柱の周囲に９０度間隔で４ケ所の透孔部を有する請求項１に記載の仮設足場の連結構造に係る。
【０００８】
請求項３の発明は、前記透孔部がフランジ部の切欠と支柱外周によって形成されている請求項１又は２に記載の仮設足場の連結構造に係る。
【０００９】
請求項４の発明は、前記くさび部材の長脚部にくさび材挿通部から上方への抜けを防止する下部抜止突部を有する請求項１ないし３のいずれか１項に記載の仮設足場の連結構造に係る。
【００１０】
請求項５の発明は、前記くさび部材の操作用つまみ部にくさび材挿通部から下方への抜けを防止する上部抜止突部を有する請求項１ないし４のいずれか１項に記載の仮設足場の連結構造に係る。
【００１１】
請求項６の発明は、前記接続部が一枚の板材を曲げ加工して形成されている請求項１ないし５のいずれか１項に記載の仮設足場の連結構造に係る。
【発明の効果】
【００１２】
請求項１の発明に係る仮設足場の連結構造によれば、垂直方向に立設された支柱に対して水平方向に足場材を架設する仮設足場構造であって、前記支柱の水平方向に取付けられた透孔部を有するフランジ部と、前記足場材の端部に形成された接続部と、前記フランジ部と接続部と取り外し可能に連結するくさび部材からなり、前記接続部は、前記くさび部材を上下動かつ支柱方向に進退動可能に挿通するくさび材挿通部を有し、かつ支柱側の正面部には前記フランジ部の透孔部を差し込むことができるフランジ差込開口部を有するとともに、足場材側には引掛部が形成されており、前記くさび部材は、前記フランジ部の透孔部前周部が挿入できる下部開口を有し、前記下部開口の上辺部には操作用つまみ部が形成されるとともに、前記下部開口の支柱側には前記フランジ部の透孔部への差し込み部を有する短脚部、足場材側には前記短脚部下端より下側位置に下向き開口部を有する係着突部が形成され前記引掛部に前記下向き開口部を介して前記係着突部が係着可能な長脚部を備えているため、前記支柱と足場材を極めて簡単かつ容易に連結することができるとともに、前記接続部に対して前記くさび部材を容易に脱着することができる。
【００１３】
請求項２の発明によれば、請求項１において、前記フランジ部が支柱の周囲に９０度間隔で４ケ所の透孔部を有するため、前記支柱に対して複数の足場材を連結することができる。
【００１４】
請求項３の発明によれば、請求項１又は２において、前記透孔部がフランジ部の切欠と支柱外周によって形成されているため、極めて容易に透孔部を形成することができる。
【００１５】
請求項４の発明によれば、請求項１ないし３のいずれか１項において、前記くさび部材の長脚部にくさび材挿通部から上方への抜けを防止する下部抜止突部を有するため、くさび部材の落下を防止することができ、安全性に優れている。
【００１６】
請求項５の発明によれば、請求項１ないし４のいずれか１項において、前記くさび部材の操作用つまみ部にくさび材挿通部から下方への抜けを防止する上部抜止突部を有するため、くさび部材の落下を防止することができ、安全性に優れている。
【００１７】
請求項６の発明によれば、請求項１ないし５のいずれか１項において、前記接続部が一枚の板材を曲げ加工して形成されているため、前記接続部を一体的に形成することができ、製造工程上の有利性がある。
【発明を実施するための最良の形態】
【００１８】
以下添付の図面に従ってこの発明を詳細に説明する。
図１はこの発明の一実施例の仮設足場の連結構造における接続部をフランジ部に差し込む前の状態を示す概略斜視図、図２は図１の接続部をフランジ部に差し込んだ状態を示す概略平面図、図３は実施例の接続部にくさび部材を係着させてフランジ部に差し込んだ状態を示す概略断面図、図４は図３のくさび部材と接続部の係着が解除された状態を示す概略断面図、図５は図４の接続部が支柱に連結された状態を示す概略断面図、図６は別の実施例である仮設足場の連結構造を示す平面図、図７は実施例の仮設足場の連結構造によって支柱に足場材が架設された状態を示す概略正面図である。
【００１９】
図１ないし図５に示すこの発明の一実施例に係る仮設足場の連結構造は、垂直方向に立設された支柱１１に対して水平方向に足場材２０を架設する仮設足場構造Ｋであって、前記支柱１１の水平方向に取付けられ、透孔部３５を有するフランジ部３０と、前記足場材２０の端部２１に形成された接続部４０と、前記フランジ部３０と接続部４０と取り外し可能に連結するくさび部材５０を有する。なお、図１及び図２においては、説明のためくさび部材を省略して示す。
【００２０】
フランジ部３０は、支柱１１に溶接等により水平に固着されて、くさび部材を差し込むことができる透孔部３５を有する。前記フランジ部３０の形状は用途等に応じて選択でき、別の実施例の仮設足場の連結構造Ｋａとして図６に示されるように、支柱１１の周囲に９０度間隔で４ヶ所の透孔部３５を有するフランジ部３０ａが用いられてもよい。この場合、支柱１１に対して複数の足場材を直角に連結することができる。なお、図６において、以下に説明する実施例と同一符号は同一の構成を表すものとしてその説明を省略する。また、透孔部３５については、この実施例では、図１に示されるように、フランジ部３０の切り欠き３２と支柱外周１２によって形成される。これにより、例えば接続部４０の厚みなど、各部材に多少の寸法誤差が生じても、図５に示されるように、透孔部３５にくさび部材５０を差し込んだときに、確実に接続部４０の正面部４３を支柱１１へ圧接することができる。
【００２１】
接続部４０は、図１及び図２に示されるように、くさび部材を上下動かつ支柱方向に進退動可能に挿通するくさび材挿通部４２を有している。実施例では、前記接続部４０は図示の如く、一枚の板材が正面部４３から両側を側方へ折り曲げ加工されて側面部４５，４５とフランジ部４７，４７が一体的に形成される。さらに、前記フランジ部４７，４７とそれに対向する足場材２０の端部２１が溶接により固着されて、その上部及び下部が貫通されたくさび材挿通部４２が設けられる。このように、接続部４０が一枚の板材を曲げ加工して形成されているので、例えば別個の板材をそれぞれ溶接により固定して接続部４０を形成するような場合などと比較して、加工による手間を大幅に軽減することができる。
【００２２】
また、接続部４０は、支柱１１側の正面部４３に前記フランジ部３０の透孔部３５を差し込むことができるフランジ差込開口部４４を備える。前記差し込み開口部４４は、図１及び図２からよく理解されるように、フランジ部３０の透孔部３５が差し込まれたときに、支柱１１に接続部４０の正面部４３が当接されるように、支柱１１からフランジ部３０の透孔部前周部３６までの長さよりも、前記開口部４４の水平方向の長さの方が長く形成される。一方、前記接続部４０の足場材２０側の後壁部４７には、金属板片が溶接により固定される等して引掛部４６が形成される。
【００２３】
くさび部材５０は、図３ないし図５に示されるように、前記フランジ部３０の透孔部前周部３６が挿入できる下部開口５１を有しており、実施例では図５からよりよく理解されるように、前記下部開口５１は、透孔部３５に差し込み部５４が差し込みやすいように、前側（支柱１１側）が傾斜面によって形成される。さらに、前記下部開口５１の上辺部５２には、くさび部材５０を上下動かつ進退動可能に操作しやすいように操作用つまみ部５９が形成される。なお、前記くさび部材５０の操作用つまみ部５９にくさび材挿通部４２から下方への抜けを防止する上部抜止突部５８が形成されてもよく、ここでは、図３及び図５からわかるように、操作用つまみ部５９の下部に突部が形成されて上部抜止突部５８とされる。
【００２４】
また、くさび部材５０は、前記下部開口５１の支柱１１側には前記フランジ部３０の透孔部３５への差し込み部５４を有する短脚部５３が備えられ、前記短脚部５３の差し込み部５４が透孔部３５へ差し込まれることによって、図６に示されるように支柱１１に接続部４０の正面部４３を圧接して、支柱１１と足場材２０を連結することができる。一方、くさび部材５０の前記下部開口５１の足場材２０側には、前記短脚部５３下端より下側位置に前記引掛部４６に係着する係着突部５６が形成された長脚部５５が備えられる。これにより、あらかじめ接続部４０のくさび材挿通部４２に挿通されたくさび部材５０を、接続部４０に備えられる引掛部４６に係着突部５６を係着させておくことで、フランジ差込開口部４４に透孔部３５を差し込む際に、短脚部５３の下端がフランジ部３０に当接しないため邪魔にならず、フランジ差込開口部４４に透孔部３５を極めて容易に差し込むことができる。
【００２５】
一方、くさび部材５０の接続部４０への係着を解除する場合には、くさび材挿通部４２内においてくさび部材５０は上下動かつ進退動可能に挿通されているため、簡単に解除することができる。この係着突部５６は、引掛部４６に係着できればどのような形状でもよく、実施例では引掛部４６に容易に脱着できるように、前記係着突部５６が下向き開口部６１を有するように構成されている。加えて、前記長脚部５５には、くさび材挿通部４２から上方への抜けを防止する下部抜止突部５７が形成されてもよい。実施例では、長脚部５５の下部に抜け止め用のピンが固定されて下部抜止突部５７とされる
。
【００２６】
次に、上記した仮設足場の連結構造Ｋにおいて、図７に示されるように、垂直方向に立設された支柱１１とそれに隣接する支柱１１との間に、水平方向に足場材２０を架設する方法の一例を説明する。前記支柱１１には、上下方向に所定の間隔でフランジ部３０が固定されており、足場材２０として水平材が用いられる。この他にも図示しないが、足場材として、水平材に斜行材が取り付けられている等の公知の足場材を用いることができる。なお、足場材２０の両端側における支柱１１への連結方法は同様であるので、一側の連結方法について説明する。
【００２７】
足場材２０の端部２１に固着される接続部４０には、図３に示されるように、あらかじめ、くさび部材５０がくさび材挿通部４２の上方から挿入後、長脚部５５の下部に下部抜止突部５７が形成され、くさび部材５０の係着突部５６が接続部４０に形成された引掛部４６に係着される。そして、図示の如く、支柱１１に固定されたフランジ部３０の透孔部３５が、接続部４０のフランジ差込開口部４４に差し込まれて、その正面部４３が支柱１１に当接される。このとき、くさび部材５０は接続部４０に短脚部５３の下端がフランジ部３０に当接しない位置で係着されているため、くさび部材５０掴持しておく必要等がなく、極めて簡単に前記フランジ差込開口部４４に透孔部３５を差し込むことができる。
【００２８】
次に、くさび部材５０の接続部４０への係着を解除するために、操作用つまみ部５９を掴んでくさび部材５０を上方向（矢印ａ方向）に移動して、係着突部５６と引掛部４６の係着を解いた後、くさび部材５０をくさび材挿通部４２内で前進方向（矢印ｂ方向）へ動かして、図４のように短脚部５３の差し込み部５４を透孔部３５へ落とし込める位置へ移動させる。続いて、操作用つまみ部５９を上方から下方向（矢印ｄ方向）へハンマー等を用いて打ち込むことにより、図５のように、差し込み部５４を確実に透孔部３５へ差し込み、透孔部前周部３６と接続部の正面部４３との間に短脚部５３を嵌合させる。これにより、接続部４０の正面部４３を支柱１１に圧接して、極めて簡単かつ確実に、またがたつきの生じにくい状態で、支柱１１に対して足場材２０を架設することができる。
【００２９】
なお、図５の足場材２０を支柱１１から取り外す場合には、くさび部材５０の長脚部５５の下部を上方向（矢印ｅ方向）へハンマー等で打ち込んで、差し込み部５４を上方へ移動させて、支柱への接続部４０の正面部４３の圧接状態を解き、支柱１１と連結部４０の連結を極めて簡単に解除することができる（図４参照）。なお、この発明の仮設足場の連結構造は、前述の実施例のみに限定されるものではなく、発明の趣旨を逸脱しない範囲において構成の一部を適宜に変更して実施することができる。
【図面の簡単な説明】
【００３０】
【図１】この発明の一実施例の仮設足場の連結構造における接続部をフランジ部に差し込む前の状態を示す概略斜視図である。
【図２】図１の接続部をフランジ部に差し込んだ状態を示す概略平面図である。
【図３】実施例の接続部にくさび部材を係着させてフランジ部に差し込んだ状態を示す概略断面図である。
【図４】図３のくさび部材と接続部の係着が解除された状態を示す概略断面図である。
【図５】図４の接続部が支柱に連結された状態を示す概略断面図である。
【図６】別の実施例である仮設足場の連結構造を示す平面図である。
【図７】実施例の仮設足場の連結構造によって支柱に足場材が架設された状態を示す概略正面図である。
【符号の説明】
【００３１】
Ｋ，Ｋａ  仮設足場の連結構造
１１  支柱
２０  足場材
３０  フランジ部
３５  透孔部
３６  透孔部前周部
４０  接続部
４２  くさび材挿通部
４３  正面部
４４  フランジ差込開口部
４６  引掛部
５０  くさび部材
５１  下部開口
５３  短脚部
５５  長脚部
【図１】
0005270147.tif 000002
【図２】
0005270147.tif 000003
【図３】
0005270147.tif 000004
【図４】
0005270147.tif 000005
【図５】
0005270147.tif 000006
【図６】
0005270147.tif 000007
【図７】
0005270147.tif 000008